(57)【特許請求の範囲】
【請求項１】
コンテンツデータを再生するコンテンツ再生装置と、前記コンテンツ再生装置に接続可能なコンテンツ処理装置とを備え、
前記コンテンツ処理装置が、
前記コンテンツ再生装置から、エンコードされたコンテンツデータ又は前記コンテンツ再生装置によってデコードされたコンテンツデータを受信するコンテンツ受信手段と、
前記コンテンツ受信手段によって受信されたエンコードされたコンテンツデータをデコードする第１デコード手段と、
前記コンテンツ受信手段によって受信されたエンコードされたコンテンツデータのコンテンツ形式が、前記第１デコード手段によってデコード不可能な第１の所定のコンテンツ形式であるか否かを判断する判断手段と、
前記判断手段によってコンテンツ形式が第１の所定のコンテンツ形式であると判断された場合、前記コンテンツ再生装置にデコード要求を送信する要求送信手段とを備え、
前記コンテンツ再生装置が、
制御手段からデコード指示を受信した場合、前記コンテンツデータをデコードする第２デコード手段と、
エンコードされたコンテンツデータ又は前記第２デコード手段によってデコードされたコンテンツデータを前記コンテンツ処理装置に送信するコンテンツ送信手段と、
前記コンテンツ処理装置から前記デコード要求を受信する要求受信手段と、
前記要求受信手段が前記デコード要求を受信した場合、コンテンツデータをデコードするデコード指示を前記第２デコード手段に供給する前記制御手段とを備える、コンテンツ再生システム。
【請求項２】
コンテンツデータを再生するコンテンツ再生装置と、前記コンテンツ再生装置に接続可能なコンテンツ処理装置とを備え、
前記コンテンツ処理装置が、
前記コンテンツ再生装置から、エンコードされたコンテンツデータ又は前記コンテンツ再生装置によってデコードされたコンテンツデータを受信するコンテンツ受信手段と、
前記コンテンツ受信手段によって受信されたエンコードされたコンテンツデータをデコードする第１デコード手段と、
前記コンテンツ受信手段によって受信されたコンテンツデータに１又は複数のコンテンツ処理を実行するコンテンツ処理手段と、
前記コンテンツ処理手段によって処理されるコンテンツ処理を設定する処理設定手段と、
前記コンテンツ受信手段によって受信されたエンコードされたコンテンツデータのコンテンツ形式が、前記コンテンツ処理手段が所定のコンテンツ処理を実行しなければ前記第１デコード手段がデコード可能であるが、前記コンテンツ処理手段が前記所定のコンテンツ処理を実行しかつ前記第１デコード手段がデコードすることは不可能である第２の所定のコンテンツ形式であり、かつ、前記処理設定手段によって前記所定のコンテンツ処理が設定されているか否かを判断する判断手段と、
前記判断手段によってコンテンツ形式が第２の所定のコンテンツ形式であり、かつ、前記処理設定手段によって前記所定のコンテンツ処理が設定されていると判断された場合、前記コンテンツ再生装置にデコード要求を送信する要求送信手段とを備え、
前記コンテンツ再生装置が、
制御手段からデコード指示を受信した場合、前記コンテンツデータをデコードする第２デコード手段と、
エンコードされたコンテンツデータ又は前記第２デコード手段によってデコードされたコンテンツデータを前記コンテンツ処理装置に送信するコンテンツ送信手段と、
前記コンテンツ処理装置から前記デコード要求を受信する要求受信手段と、
前記要求受信手段が前記デコード要求を受信した場合、コンテンツデータをデコードするデコード指示を前記第２デコード手段に供給する前記制御手段とを備える、コンテンツ再生システム。
【請求項３】
前記判断手段が、コンテンツ形式が第２の所定のコンテンツ形式であり、かつ、前記処理設定手段によって前記所定のコンテンツ処理が設定されている際に、前記処理設定手段が前記所定のコンテンツ処理が実行されないように設定を変更したか否かを判断し、
前記所定のコンテンツ処理が実行されないように設定を変更したと判断された場合、前記要求送信手段が、前記コンテンツ再生装置にデコード停止要求を送信し、
前記要求受信手段が前記デコード停止要求を受信した場合、前記制御手段が、コンテンツデータのデコードを停止するデコード停止指示を前記第２デコード手段に供給する、請求項２に記載のコンテンツ再生システム。
【請求項４】
前記判断手段が、前記コンテンツ受信手段によって受信されたエンコードされたコンテンツデータのコンテンツ形式が、前記処理設定手段の設定とは関係なく、前記第１デコード手段によってデコード不可能な第１の所定のコンテンツ形式であるか否かをさらに判断し、
前記判断手段によってコンテンツ形式が第１の所定のコンテンツ形式であると判断された場合、前記要求送信手段が、前記コンテンツ再生装置にデコード要求を送信する、請求項２または３に記載のコンテンツ再生システム。
【請求項５】
前記コンテンツ再生装置が、ユーザ操作に応じて、前記コンテンツ再生装置が再生するコンテンツデータが他のコンテンツデータに切り換えられるか否かを判断するコンテンツ判断手段をさらに備え、
前記コンテンツ再生装置が再生するコンテンツデータが他のコンテンツデータに切り換えられると判断された場合、前記制御手段が、コンテンツデータのデコードを停止するデコード停止指示を前記第２デコード手段に供給する、請求項１〜４のいずれかに記載のコンテンツ再生システム。
【請求項６】
請求項１に記載のコンテンツ再生システムに用いられる前記コンテンツ処理装置であって、
前記コンテンツ再生装置から、エンコードされたコンテンツデータ又は前記コンテンツ再生装置によってデコードされたコンテンツデータを受信するコンテンツ受信手段と、
前記コンテンツ受信手段によって受信されたエンコードされたコンテンツデータをデコードする第１デコード手段と、
前記コンテンツ受信手段によって受信されたエンコードされたコンテンツデータのコンテンツ形式が、前記第１デコード手段によってデコード不可能な第１の所定のコンテンツ形式であるか否かを判断する判断手段と、
前記判断手段によってコンテンツ形式が第１の所定のコンテンツ形式であると判断された場合、前記コンテンツ再生装置にデコード要求を送信する要求送信手段とを備える、コンテンツ処理装置。
【請求項７】
請求項２〜５のいずれかに記載のコンテンツ再生システムに用いられる前記コンテンツ処理装置であって、
前記コンテンツ再生装置から、エンコードされたコンテンツデータ又は前記コンテンツ再生装置によってデコードされたコンテンツデータを受信するコンテンツ受信手段と、
前記コンテンツ受信手段によって受信されたエンコードされたコンテンツデータをデコードする第１デコード手段と、
前記コンテンツ受信手段によって受信されたコンテンツデータに１又は複数のコンテンツ処理を実行するコンテンツ処理手段と、
前記コンテンツ処理手段によって処理されるコンテンツ処理を設定する処理設定手段と、
前記コンテンツ受信手段によって受信されたエンコードされたコンテンツデータのコンテンツ形式が、前記コンテンツ処理手段が所定のコンテンツ処理を実行しなければ前記第１デコード手段がデコード可能であるが、前記コンテンツ処理手段が前記所定のコンテンツ処理を実行しかつ前記第１デコード手段がデコードすることは不可能である第２の所定のコンテンツ形式であり、かつ、前記処理設定手段によって前記所定のコンテンツ処理が設定されているか否かを判断する判断手段と、
前記判断手段によってコンテンツ処理が第２の所定のコンテンツ形式であり、かつ、前記処理設定手段によって前記所定のコンテンツ形式が設定されていると判断された場合、前記コンテンツ再生装置にデコード要求を送信する要求送信手段とを備える、コンテンツ処理装置。
【請求項８】
請求項６または７に記載の各手段をコンピュータに実行させる、コンテンツ処理装置の動作プログラム。
【請求項９】
請求項１〜５のいずれかに記載のコンテンツ再生システムに用いられる前記コンテンツ再生装置であって、
制御手段からデコード指示を受信した場合、前記コンテンツデータをデコードする第２デコード手段と、
エンコードされたコンテンツデータ又は前記第２デコード手段によってデコードされたコンテンツデータを前記コンテンツ処理装置に送信するコンテンツ送信手段と、
前記コンテンツ処理装置から前記デコード要求を受信する要求受信手段と、
前記要求受信手段が前記デコード要求を受信した場合、コンテンツデータをデコードするデコード指示を前記第２デコード手段に供給する前記制御手段とを備える、コンテンツ再生装置。
【請求項１０】
請求項９に記載の各手段をコンピュータに実行させる、コンテンツ再生装置の動作プログラム。
【発明の詳細な説明】
【技術分野】
【０００１】
本発明は、コンテンツ再生装置とコンテンツ処理装置とを備えるコンテンツ再生システムに関する。
【背景技術】
【０００２】
最近、ＨＤＭＩ規格に準拠したコンテンツ再生装置であるＤＶＤプレーヤ（または、ブルーレイディスクプレーヤ、ＨＤＤＶＤプレーヤ）と、コンテンツ処理装置であるＡＶアンプとを備えるコンテンツ再生システムが利用されており、ＤＶＤプレーヤから出力されるＨＤＭＩデータに映像データ及び音声データを含めることにより、１本のＨＤＭＩケーブルによって映像データ及び音声データの両方をＡＶアンプに送信することができる。ＡＶアンプは、ＤＶＤプレーヤから受信したＨＤＭＩデータを元の映像データ及び音声データに変換し、音声データを増幅してスピーカーに出力すると共に、映像データを再度ＨＤＭＩデータに変換し、ディスプレイ装置に送信する。
【０００３】
ＤＶＤディスクには、音声データが、複数種類のフォーマット（ＤｏｌｂｙＤｉｇｉｔａｌ、ＤＴＳ、ＴｒｕｅＨＤ等）、サンプリング周波数（９６ｋＨｚ、１９２ｋＨｚ）、チャンネル数（５．１ｃｈ、７．１ｃｈ）で記録されている。ＤＶＤプレーヤは、ＤＶＤディスクから読み出したエンコードされた音声データを、ＨＤＭＩケーブルを介してＡＶアンプに送信する。ＡＶアンプは、受信したエンコードされた音声データをＤＳＰにおいてデコードし、設定されている音響処理を実行し、アンプ部で増幅して、スピーカーに出力する。
【０００４】
【特許文献１】特開２００６−３３３７６号公報
【発明の開示】
【発明が解決しようとする課題】
【０００５】
最近、音声データのフォーマットとしてＴｒｕｅＨＤ等の非常に音信の優れたフォーマットが登場してきており、サンプリング周波数も１９２ｋＨｚ等の非常に高いものが登場してきている。しかしながら、ＤＳＰの処理能力が高い場合には、ＡＶアンプは、ＴｒｕｅＨＤ・１９２ｋＨｚの音声データをデコードすることが可能であるが、ＤＳＰの処理能力が十分に高くない場合には、ＡＶアンプは、ＴｒｕｅＨＤ・１９２ｋＨｚの音声データをデコードすることができず、その結果、スピーカーから音声が出力されないという問題が生じる。これは、ＴｒｕｅＨＤ・１９２ｋＨｚの音声データのデコードがＤＳＰの処理能力を超えてしまうからである。この場合、ＤＶＤプレーヤから出力される音声データを、音質の低いフォーマットに変更する必要がある。なお、ここでいう「デコード不可能」とは、受信するエンコードされた音声データをリアルタイムにデコードし、スピーカーから正常に音声を出力できるようにデコードすることができないことを意味する。
【０００６】
また、ＤＳＰの処理能力が十分に高くない場合には、ＡＶアンプは、所定の音響処理（例えば、音場処理、イコライザ処理、遅延処理等）を実行しなければ、ＴｒｕｅＨＤ・９６ｋＨｚ・７．１ｃｈの音声データについてはデコードすることが可能である。しかしながら、ＡＶアンプは、ＴｒｕｅＨＤ・９６ｋＨｚ・７．１ｃｈの音声データをデコードし、かつ、所定の音響処理を実行することができない。ＴｒｕｅＨＤ・９６ｋＨｚ・７．１ｃｈの音声データのデコードと、所定の音響処理とを組合せることによって、ＤＳＰの処理能力を超えてしまうからである。この場合、ＤＶＤプレーヤから出力される音声データを音質の低いフォーマットに変更する、又は、所定の音響処理を実行しないように設定する必要がある。または、ＴｒｕｅＨＤ・９６ｋＨｚ・７．１ｃｈの音声データが入力されたとき、所定の音響処理が設定されていても、所定の音響処理が実行されないように、ＡＶアンプを設計する必要がある。
【０００７】
なお、上記特許文献１は、次の技術を記載する。ＤＶＤプレーヤとパソコンとをネットワーク接続する。プレーヤに挿入された光ディスクの映像データが当該プレーヤ内部のハードウェアデコード部でデコード可能か不可能かを判別して、不可能と判別された場合は、ネットワーク経由で映像データをパソコンへ送信して、ソフトウェアデコード部でデコードさせて、デコード後の映像データを受信する。これにより、プレーヤからの操作のみで、プレーヤ自身が対応していないフォーマットの映像データをデコードして再生することができる。
【０００８】
しかし、特許文献１の技術では、ＤＶＤプレーヤからパソコンにエンコードされた映像データを送信し、パソコンで映像データをデコードさせたあと、再度ＤＶＤプレーヤに映像データを返信しているので、映像データの無駄な伝送経路が増えてしまい、映像データが表示されるまでの時間が遅延するという問題が生じる。
【０００９】
本発明の目的は、コンテンツ再生装置とコンテンツ処理装置とを備えるコンテンツ再生システムにおいて、コンテンツ処理装置の処理能力を越えるコンテンツ形式のコンテンツデータについても、コンテンツデータをデコードして出力することができるコンテンツ再生システム等を提供することである。
【課題を解決するための手段】
【００１０】
本発明の好ましい実施形態によるコンテンツ再生システムは、コンテンツデータを再生するコンテンツ再生装置と、前記コンテンツ再生装置に接続可能なコンテンツ処理装置とを備える。前記コンテンツ処理装置が、前記コンテンツ再生装置から、エンコードされたコンテンツデータ又は前記コンテンツ再生装置によってデコードされたコンテンツデータを受信するコンテンツ受信手段と、前記コンテンツ受信手段によって受信されたエンコードされたコンテンツデータをデコードする第１デコード手段と、前記コンテンツ受信手段によって受信されたエンコードされたコンテンツデータのコンテンツ形式が、前記第１デコード手段によってデコード不可能な第１の所定のコンテンツ形式であるか否かを判断する判断手段と、前記判断手段によってコンテンツ形式が第１の所定のコンテンツ形式であると判断された場合、前記コンテンツ再生装置にデコード要求を送信する要求送信手段とを備える。前記コンテンツ再生装置が、制御手段からデコード指示を受信した場合、前記コンテンツデータをデコードする第２デコード手段と、エンコードされたコンテンツデータ又は前記第２デコード手段によってデコードされたコンテンツデータを前記コンテンツ処理装置に送信するコンテンツ送信手段と、前記コンテンツ処理装置から前記デコード要求を受信する要求受信手段と、前記要求受信手段が前記デコード要求を受信した場合、コンテンツデータをデコードするデコード指示を前記第２デコード手段に供給する前記制御手段とを備える。
【００１１】
コンテンツ再生装置から受信したエンコードされたコンテンツデータのコンテンツ形式が第１の所定のコンテンツ形式である場合、第１デコード手段によってコンテンツデータをデコードできないと判断される。そのため、要求送信手段は、コンテンツ再生装置にデコード要求を送信する。要求受信手段がコンテンツ処理装置からデコード要求を受信すると、制御手段は第２デコード手段にデコード指示を供給し、第２デコード手段がコンテンツデータをデコードする。従って、コンテンツ処理装置には、コンテンツ再生装置からデコードされたコンテンツデータが供給されるので、第１の所定のコンテンツ形式であってもコンテンツ再生システムにおいてデコードすることができる。
【００１２】
本発明の別の好ましい実施形態によるコンテンツ再生システムは、コンテンツデータを再生するコンテンツ再生装置と、前記コンテンツ再生装置に接続可能なコンテンツ処理装置とを備える。前記コンテンツ処理装置が、前記コンテンツ再生装置から、エンコードされたコンテンツデータ又は前記コンテンツ再生装置によってデコードされたコンテンツデータを受信するコンテンツ受信手段と、前記コンテンツ受信手段によって受信されたエンコードされたコンテンツデータをデコードする第１デコード手段と、前記コンテンツ受信手段によって受信されたコンテンツデータに１又は複数のコンテンツ処理を実行するコンテンツ処理手段と、前記コンテンツ処理手段によって処理されるコンテンツ処理を設定する処理設定手段と、前記コンテンツ受信手段によって受信されたエンコードされたコンテンツデータのコンテンツ形式が、前記コンテンツ処理手段が所定のコンテンツ処理を実行しなければ前記第１デコード手段がデコード可能であるが、前記コンテンツ処理手段が前記所定のコンテンツ処理を実行しかつ前記第１デコード手段がデコードすることは不可能である第２の所定のコンテンツ形式であり、かつ、前記処理設定手段によって前記所定のコンテンツ処理が設定されているか否かを判断する判断手段と、前記判断手段によってコンテンツ形式が第２の所定のコンテンツ形式であり、かつ、前記処理設定手段によって前記所定のコンテンツ処理が設定されていると判断された場合、前記コンテンツ再生装置にデコード要求を送信する要求送信手段とを備える。前記コンテンツ再生装置が、制御手段からデコード指示を受信した場合、前記コンテンツデータをデコードする第２デコード手段と、エンコードされたコンテンツデータ又は前記第２デコード手段によってデコードされたコンテンツデータを前記コンテンツ処理装置に送信するコンテンツ送信手段と、前記コンテンツ処理装置から前記デコード要求を受信する要求受信手段と、前記要求受信手段が前記デコード要求を受信した場合、コンテンツデータをデコードするデコード指示を前記第２デコード手段に供給する前記制御手段とを備える。
【００１３】
コンテンツ再生装置から受信したエンコードされたコンテンツデータのコンテンツ形式が第２の所定のコンテンツ形式である場合、処理設定手段によって所定のコンテンツ処理が設定されていれば、第１デコード手段によってコンテンツデータをデコードし、かつ、コンテンツ処理手段によって所定のコンテンツ処理を実行することはできないと判断される。そのため、要求送信手段は、コンテンツ再生装置にデコード要求を送信する。要求受信手段がコンテンツ処理装置からデコード要求を受信すると、制御手段は第２デコード手段にデコード指示を供給し、第２デコード手段がコンテンツデータをデコードする。従って、コンテンツ処理装置には、コンテンツ再生装置からデコードされたコンテンツデータが供給されるので、第２の所定のコンテンツ形式であっても、コンテンツ再生装置が音声データをデコードし、かつ、コンテンツ処理装置がコンテンツ処理を実行することができる。
【００１４】
好ましい実施形態においては、前記判断手段が、コンテンツ形式が第２の所定のコンテンツ形式であり、かつ、前記処理設定手段によって前記所定のコンテンツ処理が設定されている際に、前記処理設定手段が前記所定のコンテンツ処理が実行されないように設定を変更したか否かを判断し、前記所定のコンテンツ処理が実行されないように設定を変更したと判断された場合、前記要求送信手段が、前記コンテンツ再生装置にデコード停止要求を送信し、前記要求受信手段が前記デコード停止要求を受信した場合、前記制御手段が、コンテンツデータのデコードを停止するデコード停止指示を前記第２デコード手段に供給する。
【００１５】
コンテンツ形式が第２の所定のコンテンツ形式であり、かつ、処理設定手段によって所定のコンテンツ処理が設定されている際には、コンテンツ再生装置がコンテンツデータをデコードし、コンテンツ処理装置がコンテンツ処理を実行している。この時、処理設定手段が所定のコンテンツ処理が実行されないように設定を変更した場合、コンテンツ処理装置において、コンテンツデータをデコードし、かつ、所定のコンテンツ処理以外のコンテンツ処理を実行することができるようになると判断される。そこで、要求送信手段は、コンテンツ再生装置にデコード停止要求を送信する。要求受信手段がコンテンツ処理装置からデコード停止要求を受信すると、制御手段は第２デコード手段にデコード停止指示を供給し、第２デコード手段がコンテンツデータのデコードを停止する。従って、コンテンツ処理装置には、コンテンツ再生装置からエンコードされたコンテンツデータが供給され、コンテンツ処理装置において、コンテンツデータをデコードし、かつ、所定のコンテンツ処理以外のコンテンツ処理を実行することができる。
【００１６】
好ましい実施形態においては、前記判断手段が、前記コンテンツ受信手段によって受信されたエンコードされたコンテンツデータのコンテンツ形式が、前記処理設定手段の設定とは関係なく、前記第１デコード手段によってデコード不可能な第１の所定のコンテンツ形式であるか否かをさらに判断し、前記判断手段によってコンテンツ形式が第１の所定のコンテンツ形式であると判断された場合、前記要求送信手段が、前記コンテンツ再生装置にデコード要求を送信する。
【００１７】
コンテンツ再生装置から受信したエンコードされたコンテンツデータのコンテンツ形式が第１の所定のコンテンツ形式である場合、第１デコード手段によってコンテンツデータをデコードできないと判断される。そのため、要求送信手段は、コンテンツ再生装置にデコード要求を送信する。要求受信手段がコンテンツ処理装置からデコード要求を受信すると、制御手段は第２デコード手段にデコード指示を供給し、第２デコード手段がコンテンツデータをデコードする。従って、コンテンツ処理装置には、コンテンツ再生装置からデコードされたコンテンツデータが供給されるので、第１の所定のコンテンツ形式であってもコンテンツ再生システムにおいてデコードすることができる。
【００１８】
好ましい実施形態においては、前記コンテンツ再生装置が、ユーザ操作に応じて、前記コンテンツ再生装置が再生するコンテンツデータが他のコンテンツデータに切り換えられるか否かを判断するコンテンツ判断手段をさらに備え、前記コンテンツ再生装置が再生するコンテンツデータが他のコンテンツデータに切り換えられると判断された場合、前記制御手段が、コンテンツデータのデコードを停止するデコード停止指示を前記第２デコード手段に供給する。
【００１９】
コンテンツ再生装置が再生するコンテンツデータが他のコンテンツデータに切り換えられる場合、コンテンツデータのコンテンツ形式が変更になる可能性があり、その結果、コンテンツ処理装置においてコンテンツデータをデコード可能か否かが変更になる可能性がある。そこで、コンテンツ再生装置がコンテンツデータのデコードを一旦停止することで、コンテンツ処理装置には必ずエンコードされたコンテンツデータが供給されるようになる。従って、コンテンツ処理装置が、エンコードされたコンテンツデータのコンテンツ形式を再び判断し、切り換え後のコンテンツデータについて、コンテンツ処理装置でデコードできなければコンテンツ再生装置にデコード要求を送信し、コンテンツ処理装置でデコードできる場合は、コンテンツ処理装置でコンテンツデータをデコードする。
【発明の効果】
【００２０】
コンテンツデータのコンテンツ形式が第１の所定のコンテンツ形式であっても、又は、コンテンツデータのコンテンツ形式が第２の所定のコンテンツ形式でありかつ所定のコンテンツ処理が設定されていても、コンテンツ再生システムにおいてコンテンツデータをデコードすることができる。
【発明を実施するための最良の形態】
【００２１】
以下、本発明の好ましい実施形態によるコンテンツ再生装置１０、及び、コンテンツ処理装置２０を備えるコンテンツ再生システムついて、図面を参照して具体的に説明するが、本発明はこれらの実施形態には限定されない。コンテンツ再生装置１０は、ＤＶＤプレーヤ、ブルーレイディスクプレーヤ、ＨＤＤＶＤプレーヤ、セットトップボックス、チューナ装置等である（以下、ＤＶＤプレーヤ１０とする）。また、コンテンツ処理装置２０は、ＡＶアンプ、ＡＶレシーバ、デコーダ装置などである（以下、ＡＶアンプ２０とする）。本例において、コンテンツデータは、映像（画像）データおよび／または音声データであるが、以下では音声データを例に説明する。つまり、説明の便宜上、本発明のコンテンツを音声又は音響と読み替えて説明する。
【００２２】
図１は、ＤＶＤプレーヤ１０およびＡＶアンプ２０の構成を示す要部ブロック図である。ＤＶＤプレーヤ１０およびＡＶアンプ２０は、例えばＨＤＭＩ規格に準拠しており、ＨＤＭＩケーブルを介して相互に接続されている。
【００２３】
［ＤＶＤプレーヤ１０の構成］
ＤＶＤプレーヤ１０は、再生部１１と、解像度変換部１２、ＨＤＭＩ送信部１３と、システム制御部１４と、操作表示部１５と、メモリ１６と、コネクタ部１７とを有している。
【００２４】
再生部１１は、ＤＶＤディスク（以下、単にディスクという。）に記録されている映像データをディスクから読み出して、解像度変換部１２に供給する。また、再生部１１は、ディスクに記録されているエンコードされた音声データをディスクから読み出して、ＨＤＭＩ送信部１３に供給する。ここで、再生部１１は、ＡＶアンプ２０のシステム制御部２３からシステム制御部１４にデコード要求が送信され、システム制御部１４からデコード指示が供給された場合には、エンコードされた音声データをデコードしてＨＤＭＩ送信部１３に供給する。一方、ＡＶアンプ２０のシステム制御部２３からシステム制御部１４にデコード要求が送信されない場合、又は、デコード停止要求が送信された場合には、再生部１１は、エンコードされた音声データをデコードせずにＨＤＭＩ送信部１３に供給する。ＡＶアンプ２０の音声処理部２６で音声データをデコードさせるためである。再生部１１は、図示しない光ピックアップ、サーボ回路、ＭＰＥＧデコーダ、音声デコーダ等を含む。
【００２５】
ディスクから読み出される音声データには、複数種類の音声形式（コンテンツ形式）が存在する。音声形式とは、音声データの品質を表す情報を意味し、フォーマット（ＤｏｌｂｙＤｉｇｉｔａｌ、ＴｒｕｅＨＤ、ＤＴＳ等）、サンプリング周波数（９６ｋＨｚ、１９２ｋＨｚ等）、チャンネル数（５．１ｃｈ、７．１ｃｈ等）等を含む。例えば、ディスクから読み出される音声データは、ＴｒｕｅＨＤ・９６ｋＨｚ・５．１ｃｈ、ＴｒｕｅＨＤ・９６ｋＨｚ・７．１ｃｈ、ＴｒｕｅＨＤ・１９２ｋＨｚ・７．１ｃｈ、ＤＴＳ・９６ｋＨｚ、５．１ｃｈ等である。ここで、再生部１１は、全ての音声形式の音声データをデコード可能であるものとする。
【００２６】
解像度変換部１２は、再生部１１から供給された映像データの解像度を判別する。また、解像度変換部１２は、判別した映像データの解像度を、システム制御部１４からのコマンドにより、ユーザによって設定された解像度に変換する。解像度変換部１２によって解像度が変換された映像データは、ＨＤＭＩ送信部１３に供給される。
【００２７】
ＨＤＭＩ送信部１３は、解像度変換部１２から供給された映像データ、および、再生部１１から供給された音声データを、システム制御部１４からのコマンドにより、ＨＤＭＩ規格のデータ（以下、ＨＤＭＩデータ）に変換する。ＨＤＭＩ送信部１３は、ＨＤＭＩデータをコネクタ部１７を介してＡＶアンプ２０に送信する。
【００２８】
ＨＤＭＩ送信部１３は、ＨＤＭＩデータを送受信するＴＭＤＳライン（通常は複数存在するが図１では簡単のため１本のラインのみを記載している）、および、接続の有無を判断するためのホットプラグを介して、ＡＶアンプ２０のＨＤＭＩ受信部２１に接続される。また、ＨＤＭＩ送信部１３は、認証情報やＥＤＩＤを読み出すためのＤＤＣラインを介してＡＶアンプ２０のＨＤＭＩ受信部２１、ＰＲＯＭ２５に接続されている。
【００２９】
システム制御部１４は、内蔵又は接続されたメモリに格納されているＤＶＤプレーヤの動作プログラムに基づいて、再生部１１、解像度変換部１２、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００３０】
システム制御部１４は、ＣＥＣラインを介してＡＶアンプ２０のシステム制御部２３に接続され、システム制御部２３とコマンドおよび／またはデータを送受信する。また、システム制御部１４は、ＤＤＣラインを介して、ＡＶアンプ２０のＰＲＯＭ２５に接続され、ＰＲＯＭ２５に記憶されたＥＤＩＤを読み出す。
【００３１】
システム制御部１４は、ＡＶアンプ２０のシステム制御部２３からＣＥＣラインを介してデコード要求を受信した場合、再生部１１に音声データをデコードするデコード指示を供給する。また、システム制御部１４は、ＡＶアンプ２０のシステム制御部２３からＣＥＣラインを介してデコード停止要求を受信した場合、再生部１１に音声データのデコードを停止するデコード停止指示を送信する。
【００３２】
また、システム制御部１４は、ユーザ操作に応じて、再生部１１がディスクから読み出す音声データが他の音声データに切り換えられることを判断すると、再生部１１が音声データをデコードしている場合には、再生部１１に音声データのデコードを停止するデコード停止指示を送信する。他の音声データに切り換えられると、音声データのフォーマット、サンプリング周波数、チャンネル数が変更される可能性があるので、ＡＶアンプ２０が、エンコードされた音声データのフォーマット、サンプリング周波数、チャンネル数を再度検出し、ＡＶアンプ２０が音声データをデコードするか、ＤＶＤプレーヤが音声データをデコードするかを切り換えられた音声データについて判断するためである。
【００３３】
なお、音声データが他の音声データに切り換えられるとは、フォーマット、サンプリング周波数、および／またはチャンネル数が変更になる可能性のある他の音声データがユーザ操作によって選択され再生開始されることであり、例えば、ユーザ操作に応じて、ＤＶＤのメニュー画面と本編とが切り換えられること、映画の言語が日本語と英語との間で切り換えられること、音声フォーマット（ＤＴＳからＴｒｕｅＨＤに）が切り換えられること等を意味する。
【００３４】
［ＡＶアンプの構成］
ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭとする）２５と、音声処理部２６と、増幅部２７と、コネクタ部２８、２９とを有している。
【００３５】
ＨＤＭＩ受信部２１は、ＤＶＤプレーヤ１０から送信されたＨＤＭＩデータを受信する。また、ＨＤＭＩ受信部２１は、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データを生成して、音声処理部２６に供給する。
【００３６】
ＨＤＭＩ送信部２２は、ＨＤＭＩ受信部２１から供給された映像データ、および、必要に応じて音声処理部２６から供給された音声データを、ＨＤＭＩデータに変換する。ＨＤＭＩ送信部２２は、コネクタ部２８を介して図示しないディスプレイ装置にＨＤＭＩデータを送信する。
【００３７】
音声処理部２６は、例えばＤＳＰ等が採用され、ＨＤＭＩ受信部２１から供給された音声データに対して、デコード処理、音響処理等の処理を実行し、増幅部２７に供給する。また、音声処理部２６は、定期的に、ＨＤＭＩ受信部２１から供給されたエンコードされた音声データの一部をデコードして、音声データの情報領域に含まれている音声形式（フォーマット、サンプリング周波数、チャンネル数）に関する情報を取得する。音声処理部２６は、音声形式に関する情報をシステム制御部２３に供給する。また、音声処理部２６は、ＤＶＤプレーヤ１０に音声データをデコードさせる場合に、システム制御部２３から音声データのデコードを停止するデコード停止指示が供給されると、音声データのデコードを停止する。この際には、ＨＤＭＩ受信部２１からＤＶＤプレーヤ１０においてデコードされた音声データが音声処理部２６に供給される。
【００３８】
音声処理部２６は、複数の音声形式のうち、第１の所定の音声形式については、処理能力が不足しているので、音声データをデコード処理することができない。例えば、音声処理部２６は、第１の所定の音声形式である例えばＴｒｕｅＨＤ・１９２ｋＨｚの音声データをデコードすることができない。ここで、デコードすることができないとは、受信する音声データをリアルタイムにデコードし、スピーカーから正常に音声を出力できるようにデコードすることができないことを意味する。すなわち、音声処理部２６は、エンコードされた音声データの音声形式を検出するために、音声データの一部をデコードすることは可能である。
【００３９】
また、音声処理部２６は、複数の音響処理の中からユーザによって選択され設定された１又は複数の音響処理を実行する。ここで、音響処理（コンテンツ処理）とは、音声信号に信号処理を実行する処理全般を指し、例えば、音場処理、イコライザ処理（特定周波数の音圧レベルを増減させる処理）、遅延処理（設定されたスピーカー距離に応じて音声データを遅延する処理）等である。
【００４０】
音声処理部２６は、第２の所定の音声形式の音声データについてデコード処理のみであれば実行することができるが、第２の所定の音声形式の音声データをデコードし、かつ、所定の音響処理を実行することはできない。例えば、所定の音響処理を実行するように設定されていなければ、音声処理部２６は、第２の所定の音声形式であるＴｒｕｅＨＤ・９６ｋＨｚ・７．１ｃｈの音声データをデコードすることができる。しかしながら、音声処理部２６は、第２の所定の音声形式であるＴｒｕｅＨＤ・９６ｋＨｚ・７．１ｃｈの音声データをデコードし、かつ、所定の音響処理を実行することはできない。
【００４１】
第１の所定の音声形式、第２の所定の音声形式、および、所定の音響処理は、それぞれ音声処理部２６の処理能力に応じて決定されるものであり、該当する音声形式や音響処理がＡＶアンプ２０の設計者によって定められている。第１の所定の音声形式、第２の所定の音声形式、および、所定の音響処理は、それぞれ１つの音声形式や音響処理であってもよく、複数の音声形式や音響処理であってもよい。
【００４２】
増幅部２７は、音声処理部２６から供給された音声データを増幅して、外部に接続されたスピーカー６０に音声信号を供給する。
【００４３】
システム制御部２３は、内蔵又は接続されたメモリに記憶されているＡＶアンプの動作プログラムに基づいて、ＨＤＭＩ受信部２１、ＨＤＭＩ送信部２２、操作表示部２４、ＰＲＯＭ２５、音声処理部２６、増幅部２７等を制御するものであり、例えば、マイクロコンピュータやＣＰＵ等である。システム制御部２３は、操作表示部２４からの操作入力または各部からの制御信号およびデータに基づいて各種処理を実行する。
【００４４】
システム制御部２３は、ＣＥＣラインを介してＤＶＤプレーヤ１０のシステム制御部１４に接続され、システム制御部１４とコマンドおよびデータを送受信する。
【００４５】
システム制御部２３は、音声処理部２６が音声データを設定されている音響処理を実行しながら、デコード処理をすることができるか否かを判断する。すなわち、システム制御部２３は、音声データの音声形式の情報を音声処理部２６から受信して、第１の所定の音声形式（ＴｒｕｅＨＤ・１９２ｋＨｚ）である、又は、第２の所定の音声形式（ＴｒｕｅＨＤ・９６ｋＨｚ・７．１ｃｈ）でありかつ所定の音響処理が設定されているか否かを判断する。
【００４６】
音声処理部２６の処理能力を超えており処理できないと判断した場合に、システム制御部２３は、ＤＶＤプレーヤ１０のシステム制御部１４にデコード要求を送信する。また、システム制御部２３は、音声処理部２６にデコード停止指示を送信する。これにより、音声処理部２６にはＤＶＤプレーヤ１０によってデコードされた音声データが供給されるので、音声処理部２６は、音声データをデコードせず、設定されている音響処理を音声データに対して実行することができる。
【００４７】
また、音声形式が第２の所定の音声形式（ＴｒｕｅＨＤ・９６ｋＨｚ・７．１ｃｈ）であり、かつ、所定の音響処理が設定されているために、ＤＶＤプレーヤ１０で音声データをデコードしている際に、ユーザ操作によって所定の音響処理を実行しないように設定が変更された場合（所定の音響処理が解除された場合）、音声処理部２６において第２の所定の音声形式の音声データをデコード処理することが可能になる。従って、システム制御部２３は、ＤＶＤプレーヤ１０のシステム制御部１４にＣＥＣラインを介してデコード停止要求を送信し、音声処理部２６にデコードコマンドを送信する。これにより、音声処理部２６にはエンコードされた音声データが供給され、音声処理部２６は音声データをデコードする。
【００４８】
［コンテンツ再生システムの動作］
以下、本発明の動作を図２〜図５を参照して、説明する。なお、上記の通り、第１の所定の音声形式がＴｒｕｅＨＤ・１９２ｋＨｚのみであり、第２の所定の音声形式がＴｒｕｅＨＤ・９６ｋＨｚ・７．１ｃｈのみである場合を例に説明する。
【００４９】
図２は、ＡＶアンプ２０の定期的に実行される処理を示すフローチャートである。図３は、ＤＶＤプレーヤ１０の処理を示すフローチャートである。
【００５０】
図２を参照し、ＡＶアンプ２０の処理について説明する。音声処理部２６は、供給されるエンコードされた音声データの一部をデコードし、音声データのフォーマット情報を検出し、検出したフォーマット情報をシステム制御部２３に供給する（Ｓ１）。システム制御部２３は、フォーマット情報を受信すると、フォーマットがＴｒｕｅＨＤであるか否かを判断する（Ｓ２）。
【００５１】
フォーマットがＴｒｕｅＨＤではない場合（Ｓ２でＮＯ）、音声形式が第１の所定の音声形式または第２の所定の音声形式ではないので、音声処理部２６において、音声データをデコードし、かつ、設定された音響処理を実行することができると判断される。従って、システム制御部２３はＤＶＤプレーヤ１０にデコード要求を送信することなく、Ｓ７に進み、音声処理部２６が音声データをデコードし（Ｓ７）、かつ、設定された音響処理を実行する（Ｓ８）。
【００５２】
フォーマットがＴｒｕｅＨＤである場合（Ｓ２でＹＥＳ）、音声形式が第１の所定の音声形式または第２の所定の音声形式である可能性があるので、システム制御部２３からの指示に応じて、音声処理部２６が音声データの一部をデコードし、サンプリング周波数とチャンネル数との情報を検出し、システム制御部２３に供給する（Ｓ３）。システム制御部２３は、これらの情報を受信すると、サンプリング周波数が１９２ｋＨｚであるか否かを判断する（Ｓ４）。すなわち、音声形式が、第１の所定の音声形式であるか否かを判断する。
【００５３】
サンプリング周波数が１９２ｋＨｚである場合には（Ｓ４でＹＥＳ）、音声処理部２６において、（所定の音響処理を実行するか否かに関係なく）音声データをデコードすることができないと判断される。そこで、システム制御部２３は、ＣＥＣラインを介してＤＶＤプレーヤ１０のシステム制御部１４に、デコード要求を送信する（Ｓ９）。また、システム制御部２３は、音声処理部２６に音声データのデコードを停止するデコード停止指示を送信する（もしくはデコード不要であることを通知する）。
【００５４】
ここで、図３を参照し、ＤＶＤプレーヤ１０の処理を説明する。音声データ出力を開始すると（Ｓ１１でＹＥＳ）、システム制御部１４は、ＡＶアンプ２０のシステム制御部２３からＣＥＣラインを介してデコード要求を受信したか否かを判断する（受信を監視している）（Ｓ１５）。デコード要求を受信すると（Ｓ１５でＹＥＳ）、システム制御部１４は再生部１１にデコード指示を送信し、再生部１１はこれに応じてディスクから読み出した音声データをデコードし、ＨＤＭＩ送信部１３に供給する。上記の通り、再生部１１は、第１の所定の音声形式の音声データをデコードすることができる。
【００５５】
図２に戻って、音声処理部２６は、ＤＶＤプレーヤ１０によって音声データがデコードされた結果、デコードされた音声データがＨＤＭＩ受信部２１から供給されるので、設定されている音響処理を実行し（Ｓ８）、増幅部２７に供給する。従って、音声データの音声形式が第１の所定の音声形式であっても、スピーカーから音声を出力することができる。
【００５６】
一方、サンプリング周波数が１９２ｋＨｚではない場合（Ｓ４でＮＯ）、システム制御部２３は、サンプリング周波数が９６ｋＨｚでチャンネル数が７．１ｃｈであるか否かを判断する（Ｓ５）。すなわち、音声形式が第２の所定の音声形式であるか否かを判断する。
【００５７】
サンプリング周波数が９６ｋＨｚでチャンネル数が７．１ｃｈである場合（Ｓ５でＹＥＳ）、システム制御部２３は、所定の音響処理が設定されているか否かをさらに判断する（Ｓ６）。所定の音響処理が設定されている場合（Ｓ６でＹＥＳ）、音声処理部２６が音声データをデコードし、かつ、所定の音響処理を実行することはできないと判断される。そのため、上記と同様に、システム制御部２３は、ＣＥＣラインを介してＤＶＤプレーヤ１０のシステム制御部１４に、デコード要求を送信する（Ｓ９）。また、システム制御部２３は、音声処理部２６にデコードを停止するデコード指示を送信する（もしくはデコード不要であることを通知する）。その結果、ＤＶＤプレーヤ１０の再生部１１で音声データがデコードされるので、音声処理部２６にはデコードされた音声データがＨＤＭＩ受信部２１から供給される。音声処理部２６は、設定されている所定の音響処理を音声データに対して実行し（Ｓ８）、増幅部２７に供給する。従って、音声データの音声形式が第２の所定の音声形式であっても、所定の音響処理を実行して、スピーカーから音声を出力することができる。
【００５８】
一方、Ｓ６で所定の音響処理が設定されていない場合（Ｓ６でＮＯ）、音声処理部２６が、音声データをデコードすることができ、また、所定の音響処理以外の音響処理が設定されている場合には当該音響処理実行することもできると判断される。そこで、システム制御部２３がシステム制御部１４にデコード要求を送信することなく、音声処理部２６が音声データをデコードし（Ｓ７）、必要に応じて、設定されている所定の音響処理以外の音響処理を実行し（Ｓ８）、増幅部２７に供給する。
【００５９】
また、Ｓ５において、サンプリング周波数が９６ｋＨｚかつチャンネル数が７．１ｃｈでない場合（Ｓ５でＮＯ）、音声形式が第１の所定の音声形式でも第２の所定の音声形式でもないので、音声処理部２６が、音声データをデコードし、かつ、設定されている任意の音響処理を実行することができると判断される。そこで、システム制御部２３がシステム制御部１４にデコード要求を送信することなく、音声処理部２６が音声データをデコードし（Ｓ７）、必要に応じて、設定されている音響処理を実行し（Ｓ８）、増幅部２７に供給する。
【００６０】
次に、ＤＶＤプレーヤ１０でディスクから読み出される音声データが他の音声データに切り換えられる場合を説明する。例えば、ユーザ操作によって、ＤＶＤの本編からメニュー画面に切り換えられる場合、音声データの音声形式が変更になる可能性がある。例えば、本編の音声データの音声形式は第１の所定の音声形式であり、音声処理部２６ではデコードできないが、メニュー画面の音声データの音声形式は第１の所定の音声形式でも第２の所定の音声形式でもなく、音声処理部２６で所定の音響処理を実行しながらデコードできるとする。このような場合には、ＤＶＤプレーヤ１１でのデコードを停止させ、音声処理部２６にデコードを実行させる。すなわち、音声データが切り換えられた際に、音声処理部２６がエンコードされた音声データの一部をデコードし、音声データの音声形式を検出し、システム制御部２３が音声処理部２６で設定されている音響処理を実行しながら音声データをデコード可能か否かを判別する。
【００６１】
詳細には、図３のように、ＤＶＤプレーヤ１０のシステム制御部１４は、ユーザ操作に応じて音声データが他の音声データに切り換えられるか否かを判断する（監視している）（Ｓ１２）。音声データが切り換えられる場合（Ｓ１２でＹＥＳ）、システム制御部１４は、再生部１１が音声データをデコードしているか否かをさらに判断する（Ｓ１３）。再生部１１がデコードしている場合（Ｓ１３でＹＥＳ）、システム制御部１４は再生部１１にデコード停止指示を送信し、再生部１１はデコードを停止し、エンコードされた音声データをＨＤＭＩ送信部１３に供給する（Ｓ１４）。
【００６２】
その結果、音声データ切り換え前に音声処理部２６にデコードされた音声データが供給されていても、音声データの切り換えに応じて、エンコードされた音声データが音声処理部２６に供給されるようになる。従って、図２のように、音声処理部２６は、エンコードされた音声データの一部をデコードし、フォーマット情報、サンプリング周波数、チャンネル数を検出し、システム制御部２３が、音声処理部２６で設定されている音響処理を実行しながら音声データをデコードできるか否かを判断することができる。例えば、本例のように、本編からメニュー画面に切り換えられる場合には、第１の所定の音声形式でも第２の所定の音声形式でもないので、音声処理部２６で設定されている音響処理を実行しながら音声データをデコードできると判断される（Ｓ５でＮＯ）。その結果、ＤＶＤプレーヤ１０にデコード要求を送信することなく、音声処理部２６がエンコードされた音声データをデコードするようになる。
【００６３】
続いて、図４、図５を参照して、音声形式が第２の所定の音声形式であり、かつ、所定の音響処理が設定されているために、ＤＶＤプレーヤ１０の再生部１１において音声データがデコードされている際に、ユーザ操作によって、所定の音響処理を実行しないように設定が変更された場合の処理を説明する。
【００６４】
図４のように、ＡＶアンプ２０のシステム制御部２３は、ユーザ操作によって、所定の音響処理を実行しないように設定変更されたか（つまり、所定の音響処理から他の音響処理に変更された、又は、所定の音響処理が解除されたか）否かを判断しており（Ｓ３１）、所定の音響処理を実行しないように設定変更された場合（Ｓ３１でＹＥＳ）、システム制御部２３は、音声形式がＴｒｕｅＨＤ・９６ｋＨｚ・７．１ｃｈ（第２の所定の音声形式）であるか否かをさらに判断する（Ｓ３２）。すなわち、音響処理の設定変更によって、音声処理部２６で音声データをデコードできるにも関わらず、ＤＶＤプレーヤ１０の再生部１１にデコード処理させることになるか否かを判断する。
【００６５】
音声形式がＴｒｕｅＨＤ・９６ｋＨｚ・７．１ｃｈ（第２の所定の音声形式）である場合（Ｓ３２でＹＥＳ）、システム制御部２３は、ＣＥＣラインを介してＤＶＤプレーヤ１０のシステム制御部１４にデコード停止要求を送信する（Ｓ３３）。また、システム制御部２３は、音声処理部２６にデコード指示を供給する。
【００６６】
図５のように、ＤＶＤプレーヤ１０のシステム制御部１４は、ＣＥＣラインを介してＡＶアンプ２０のシステム制御部２３からデコード停止要求を受信したか否かを判断しており（Ｓ４１）、デコード停止要求を受信すると（Ｓ４１でＹＥＳ）、再生部１１にデコード停止指示を送信する。再生部１１は、これに応じて、音声データのデコードを停止し、エンコードされた音声データをＨＤＭＩ送信部１３に送信するようになる（Ｓ４２）。
【００６７】
その結果、音声処理部２６は、エンコードされた音声データを受信し、音声データをデコードし、必要に応じて設定されている所定の音響処理以外の音響処理を実行し、増幅部２７に供給する。このように、所定の音響処理の設定が解除されて、第２の所定の音声形式の音声データを音声処理部２６でデコードできるようになると、ＤＶＤプレーヤ１１でのデコードを停止して、音声処理部２６でデコードするようにできる。
【００６８】
以上、本発明の好ましい実施形態を説明したが、本発明はこれらの実施形態には限定されない。コンテンツデータが音声データの場合を説明したが、コンテンツデータが映像データである場合も同様である。図２のフローチャートのように実際の音声形式（フォーマット、サンプリング周波数、チャンネル数）をプログラム上で記載するのではなく、第１の所定の音声形式、第２の所定の音声形式に該当する音声形式をテーブルで管理してもよい。所定の音響処理についても同様である。また、上記のデコード要求、デコード停止要求は、ＣＥＣラインを介して行われるのではなく、他の制御通信線やＩＥＥＥ１３９４やＵＳＢ等を介して行われてもよい。また、コンテンツデータの送受信には、ＨＤＭＩケーブルが使用されるのではなく、光デジタルケーブル等の任意のものが使用されてもよい。また、ＤＶＤプレーヤ、ＡＶアンプの上記動作をコンピュータに実行させるためのプログラムおよびこれを記録した記録媒体という形態で提供されてもよい。
【産業上の利用可能性】
【００６９】
本発明は、ＤＶＤプレーヤおよびＡＶアンプに好適に採用され得る。
【図面の簡単な説明】
【００７０】
【図１】本発明の好ましい実施形態によるＤＶＤプレーヤ１０およびＡＶアンプ２０の構成を示すブロック図である。
【図２】ＡＶアンプ２０の動作を説明するフローチャートである。
【図３】ＤＶＤプレーヤ１０の動作を説明するフローチャートである。
【図４】ＡＶアンプ２０の動作を説明するフローチャートである。
【図５】ＤＶＤプレーヤ１０の動作を説明するフローチャートである。
【符号の説明】
【００７１】
１０            ＤＶＤプレーヤ
１１            再生部１１
１３            ＨＤＭＩ送信部
１４            制御手段
２０            ＡＶアンプ
２１            ＨＤＭＩ受信部
２３            システム制御部
２６            音声処理部
【図１】
0005109210.tif 000002
【図２】
0005109210.tif 000003
【図３】
0005109210.tif 000004
【図４】
0005109210.tif 000005
【図５】
0005109210.tif 000006